(57)【要約】      （修正有）【課題】釣竿に装着されるスピニングリールにおいて、ピニオンギアの後端を支持する軸受に生じるロータの対角方向のガタツキを抑える簡単な構成の提供。【解決手段】スピニングリールは、リール本体と、スプール軸３と、ピニオンギア５と、ロータと、軸受１２ｂと、弾性部材２０と、を備えている。リール本体は、筒状の軸受収納部１５を有している。スプール軸３は、リール本体に前後方向に沿って移動可能に装着されている。ピニオンギア５は、筒状であり、スプール軸３回りに配置され、スプール軸３に支持されている。ロータは、内周部がピニオンギア５の前端に支持されている。軸受１２ｂは、軸受収納部１５に収納され、ピニオンギア５の後端を回転自在に支持している。弾性部材２０は、軸受１２ｂの外周面と軸受収納部１５の内周面との間に配置されている。【選択図】図２
2018117585.tif 000002
【特許請求の範囲】
【請求項１】
釣竿に装着されるスピニングリールであって、
筒状の軸受収納部を有するリール本体と、
前記リール本体に前後方向に沿って移動可能に装着されたスプール軸と、
前記スプール軸回りに配置され、前記スプール軸に支持された筒状のピニオンギアと、
内周部が前記ピニオンギアの前端に支持されたロータと、
前記軸受収納部に支持され、前記ピニオンギアの後端を回転自在に支持する軸受と、
前記軸受の外周面と前記軸受収納部の内周面との間に配置された弾性部材と、
を備え、
前記軸受収納部は、前記前端側に前記軸受の外径よりも大径の第１開口部と、前記第１開口部の径よりも小径に形成され前記軸受の一部が収納される軸受支持部と、を有し、
前記軸受は、外周面の一部が前記第１開口部の内周面に対向して配置され、
前記弾性部材は、前記軸受の外周面と前記第１開口部の内周面との間に配置された、
スピニングリール。
【請求項２】
前記軸受収納部の第１開口部側に固定された固定板をさらに備え、
前記固定板は、前記軸受収納部の前端面と前記軸受の前端面とに当接して前記軸受の軸方向の移動を規制する、
請求項１に記載のスピニングリール。
【請求項３】
前記軸受収納部に螺合するねじ部材をさらに備え、
前記ねじ部材は、ねじ部と、前記ねじ部よりも大径の頭部と、を有し、
前記頭部は、前記軸受の前端面に当接して前記軸受の軸方向の移動を規制する、
請求項１又は２に記載のスピニングリール。
【請求項４】
前記軸受収納部は、後端に前記軸受の外径よりも小径の第２開口部をさらに有し、
前記軸受は、後端面が前記第２開口部の側面に当接して軸方向の移動が規制される、
請求項１から３のいずれか１項に記載のスピニングリール。
【発明の詳細な説明】
【技術分野】
【０００１】
本発明は、スピニングリール、特に釣竿に装着されるスピニングリールに関する。
【背景技術】
【０００２】
スピニングリールには、スプールに釣糸を巻きつけるためのロータが設けられている。ロータは、１対のロータアームと、ラインローラと、を有している。１対のロータアームは、ハンドルの回転に伴ってスプールの外周を回転する。ラインローラは、スプールに釣糸を案内するためのものであり、１対のロータアームの一方の先端に設けられている。ロータは、ピニオンギアの前部に固定され、ピニオンギアと一体的に回転する。ピニオンギアの後端は、リール本体に配置された軸受によって回転自在に支持されている。
【先行技術文献】
【特許文献】
【０００３】
【特許文献１】特開２００１−９５４３８号公報
【発明の概要】
【発明が解決しようとする課題】
【０００４】
このピニオンギアの後端を支持する軸受は、ラインローラと対角する位置にある。このため、軸受に径方向の隙間や緩みがあると、ラインローラによって案内された釣糸をスプールに巻きつけるときに、ロータの対角方向のガタツキ（振動）が生じる。
【０００５】
例えば、特許文献１では、軸受のガタツキを抑えるために、軸受支持部の内周面に形成した溝にＯリングを装着している（図１１参照）。しかし、軸受支持部の内周面に溝を設けた場合は、Ｏリングの取り付けに手間がかかり、さらには溝の深さを精度よく管理することも難しい。また、特許文献１は、駆動軸の両端に配置された軸受のガタツキを抑えようとするものであり、ピニオンギアの後端を支持する軸受に生じるロータの対角方向のガタツキを抑えるものではない。
【０００６】
本発明の課題は、釣竿に装着されるスピニングリールにおいて、ピニオンギアの後端を支持する軸受に生じるロータの対角方向のガタツキを簡単な構成で抑えることにある。
【課題を解決するための手段】
【０００７】
本発明の一側面に係る釣竿に装着されるスピニングリールは、リール本体と、スプール軸と、ピニオンギアと、ロータと、軸受と、弾性部材と、を備えている。リール本体は、筒状の軸受収納部を有している。軸受収納部は、前端側に軸受の外径よりも大径の第１開口部と、第１開口部の径よりも小径に形成され軸受の一部が収納される軸受支持部と、を有している。スプール軸は、リール本体に前後方向に沿って移動可能に装着されている。ピニオンギアは、筒状であり、スプール軸回りに配置され、スプール軸に支持されている。ロータは、内周部がピニオンギアの前端に支持されている。軸受は、軸受収納部に収納され、ピニオンギアの後端を回転自在に支持している。軸受は、外周面の一部が第１開口部の内周面に対向して配置されている。弾性部材は、軸受の外周面と第１開口部の内周面との間に配置されている。
【０００８】
このスピニングリールでは、ロータの後端を支持する軸受の外周面と、軸受収納部の第１開口部の内周面との間に弾性部材が配置されている。これにより、ロータの回転に伴ってピニオンギアの後端を支持する軸受部分の隙間等によるロータの対角方向のガタツキを、弾性部材によって抑えることができる。また、軸受の外径よりも大径に形成された第１開口部の内周に弾性部材が配置されるため、弾性部材の装着が容易になる。
【０００９】
好ましくは、軸受収納部の第１開口部側に固定された固定板をさらに備え、固定板は、軸受収納部の前端面と軸受の前端面とに当接して軸受の軸方向の移動を規制する。この場合は、固定板によって、軸受の軸方向のガタツキを抑えることができるとともに、弾性部材が第１開口部から軸方向に飛び出るのを防止できる。
【００１０】
好ましくは、軸受収納部に螺合するねじ部材をさらに備え、ねじ部材は、ねじ部と、ねじ部よりも大径の頭部と、を有し、頭部は、軸受の前端面に当接して軸受の軸方向の移動を規制する。この場合は、ねじの頭部によって軸受の軸方向のガタツキを抑えることができるとともに、ねじの頭部が弾性部材の軸方向の抜け止めにもなる。
【００１１】
好ましくは、軸受収納部は、後端に軸受の外径よりも小径の第２開口部をさらに有し、軸受は、後端面が第２開口部の前端面に当接して軸方向の移動が規制される。
【発明の効果】
【００１２】
本発明によれば、釣竿に装着されるスピニングリールにおいて、ロータとピニオンギアの後端を支持する軸受との間に生じるガタツキを簡単な構成で抑えることができる。
【図面の簡単な説明】
【００１３】
【図１】本発明の一実施形態を示したスピニングリールの側面断面図。
【図２】図１の一部分の拡大図。
【図３】本発明の他の実施形態に係る図２に相当する図。
【発明を実施するための形態】
【００１４】
本発明の一実施形態が採用されたスピニングリール１００は、図１に示すように、リール本体１と、ハンドル２と、スプール軸３と、スプール４と、ピニオンギア５と、ロータ６と、を備えている。なお、以下の説明において、前後とは、釣りを行うときに、釣糸が繰り出される方向を前、その反対方向を後という。また、左右とは、スピニングリール１００を後方から見たときの左右をいう。
【００１５】
リール本体１は、筐体部１０と、本体ガード１１と、を有している。筐体部１０は、両面が開口した枠状の部材である。筐体部１０の両面の開口は、蓋部材（図示せず）によって塞がれている。筐体部１０には、スプール４に釣糸を均一に巻き付けるためのオシレーティング機構などが収納されている。
【００１６】
筐体部１０は、筐体部１０の上部に設けられた装着部１０ｃと、ピニオンギア５の後端を支持する軸受収納部１５と、を有している。装着部１０ｃは、前後方向に延びて形成されている。装着部１０ｃは、釣竿に装着される部分である。なお、軸受収納部１５の詳細については後述する。
【００１７】
本体ガード１１は、リール本体１の後方に配置されており、本体ガード１１によってリール本体１の後部が覆われている。
【００１８】
ハンドル２は、リール本体１の側部にリール本体１に対して回転可能に設けられている。
【００１９】
スプール軸３は、リール本体１に前後方向に沿って移動可能に装着されている。
【００２０】
スプール４は、外周に釣糸が巻きつけられる部材である。スプール４は、スプール軸３に固定され、ハンドル２の回転に伴ってスプール軸３と一体的にスプール軸３の軸方向（以下、スプール軸方向と記す）に往復移動する。
【００２１】
ピニオンギア５は、スプール軸３回りに配置され、スプール軸３に支持されている。ピニオンギア５は、中空筒状の部材であり、ピニオンギア５の内部をスプール軸３が貫通している。ピニオンギア５は、中間部が筐体部１０に設けられた軸受１２ａを介して、さらに後端部が軸受収納部１５に収納された軸受１２ｂを介して、リール本体１に回転自在に支持されている。ピニオンギア５は、駆動軸１３と一体回転する駆動ギア（図示せず）に噛み合い、このピニオンギア５の回転に伴ってスプール４が往復移動する。
【００２２】
ロータ６は、スプール４に釣糸を巻きつけるための部材である。ロータ６は、内周部がピニオンギア５の前端に支持されている。詳細には、ロータ６は、ピニオンギア５の前端に固定されて、ピニオンギア５と一体的に回転する。
【００２３】
ロータ６は、第１ロータアーム６ａと、第２ロータアーム６ｂと、ラインローラ６ｃと、を有している。第１ロータアーム６ａ及び第２ロータアーム６ｂは、スプール４を挟んで互いに対向する位置に設けられ、ハンドル２の回転に伴ってスプール４の径方向外側で回転する。
【００２４】
ラインローラ６ｃは、釣糸をスプール４に案内する部材である。ラインローラ６ｃは、第１ロータアーム６ａの先端に設けられ、第１ロータアーム６ａと一体的に回転する。ラインローラ６ｃとピニオンギア５の後端部を支持する軸受１２ｂとは、スプール軸３を回転中心としたときに対角する位置にある。
【００２５】
次に、図２を参照して、軸受収納部１５の詳細について説明する。軸受収納部１５は、筒状であり、リール本体１の筐体部１０に形成されている。軸受収納部１５は、ピニオンギア５の内部を貫通するスプール軸３が貫通している。軸受収納部１５には、ピニオンギア５の後端を支持する軸受１２ｂが収納されている。軸受収納部１５は、第１開口部１６と、第２開口部１７と、軸受支持部１８と、を有している。
【００２６】
第１開口部１６は、スプール軸方向に開口している。第１開口部１６は、円形であり、軸受収納部１５の前端側に形成されている。第１開口部１６の内径は、軸受１２ｂの外径よりも大径に形成されている。第１開口部１６の内周部には、軸受１２ｂの一部が収納されている。詳細には、軸受１２ｂの外周面の一部が第１開口部１６の内周面に対向するように、軸受１２ｂが第１開口部１６の内周部に配置されている。
【００２７】
第２開口部１７は、スプール軸方向に開口している。第２開口部は、円形であり、軸受収納部１５の後端側に形成されている。第２開口部１７の内径は、軸受１２ｂの外径よりも小径に形成されている。第２開口部１７の前端面には、軸受１２ｂの外輪の後端面が当接している。これにより、軸受１２ｂのスプール軸方向後方への移動が規制されている。
【００２８】
軸受支持部１８は、円形であり、第１開口部１６と第２開口部１７との間に設けられている。詳細には、軸受支持部１８は、第１開口部１６と第２開口部１７とに隣接して形成されている。
【００２９】
軸受支持部１８の内径は、軸受１２ｂの外周が嵌合する程度に軸受１２ｂの外径よりも僅かに大径に形成されている。また、軸受支持部１８の内径は、第１開口部１６の内径よりも小径に形成されている。これにより、第１開口部１６と軸受支持部１８との間、および軸受支持部１８と第２開口部１７との間には、段差が形成されている。
【００３０】
軸受支持部１８には、軸受１２ｂの一部が収納される。詳細には、軸受支持部１８には、軸受１２ｂの外周面の一部が嵌合している。これにより、軸受支持部１８によって軸受１２ｂが支持されている。なお、ここでは、軸受収納部１５に軸受１２ｂが収納されたとき、軸受１２ｂの前端面と軸受収納部１５の前端面とが径方向において面一、あるいは軸受１２ｂの前端面がより後方になるように構成されている。
【００３１】
軸受１２ｂの外周面と軸受収納部１５の内周面との間には、弾性部材２０が配置されている。詳細には、弾性部材２０は、第１開口部１６の内周面と第１開口部１６に対向する軸受１２ｂの外周面との間に配置されている。弾性部材２０は、例えば樹脂やゴム等からなる弾性変形可能な弾性体であり、ここではＯリングが用いられている。
【００３２】
ここで、軸受支持部１８に嵌合する軸受１２ｂは、圧入等の方法で軸受支持部１８に固定されていないため、軸受１２ｂの外周面と軸受支持部１８の内周面との間には径方向にわずかな隙間ができる。この軸受１２ｂと軸受支持部１８との間に径方向の隙間があると、ロータ６が回転したとき、ロータ６が対角方向にガタつくことになる。このガタツキを、軸受１２ｂと軸受収納部１５との間に配置された弾性部材２０よって抑えることができる。また、ここでは、軸受１２ｂ及び弾性部材２０が第１開口部１６側から軸受収納部１５に収納されるため、弾性部材２０の取り付けを簡単に行うことができる。なお、ここでは、弾性部材２０が負荷を受けて所定量弾性変化したとき、軸受１２ｂの外周面の一部が軸受支持部１８の内周面に当接することで、軸受１２ｂの径方向の移動が規制されている。
【００３３】
軸受収納部１５の第１開口部１６側には、軸受１２ｂの軸方向の移動を規制するための固定板２１が配置されている。固定板２１は、環状の板部材であり、軸受収納部１５の前端面と軸受１２ｂの外輪の前端面とに当接して、軸受１２ｂのスプール軸方向前方への移動を規制している。固定板２１は、ねじ部材（図示せず）によって筐体部１０に固定されている。
【００３４】
このように、軸受１２ｂを固定板２１と第２開口部１７の前端面とで挟持することで、軸受１２ｂの軸方向のガタツキを抑えることができる。また、固定板２１が第１開口部１６側から軸受１２ｂの外輪の前端面に当接して筐体部１０に固定されているため、固定板２１によって必然的に軸受１２ｂの外周面と第１開口部１６の内周面との間の隙間が覆われる。これにより、固定板２１は弾性部材２０の抜け止めとしても機能する。
【００３５】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態は必要に応じて任意に組合せ可能である。
【００３６】
前記実施形態では、固定板２１を軸受１２ｂの前端面に当接させて軸受１２ｂの軸方向の移動を規制していたが、固定板２１を設けなくてもよい。この場合でも、弾性部材２０によって軸受１２ｂに生じるロータ６の対角方向のガタツキを抑えることができる。
【００３７】
また、図４に示すように、軸受収納部１５，１１５に螺合するねじ部材２３を固定板２１の代わりに用いてもよい。詳細には、ねじ部材２３は、ねじ部２３ａと、ねじ部２３ａよりも大径の頭部２３ｂと、を有している。このねじ部材２３の頭部２３ｂを軸受１２ｂの前端面に当接させて固定することで、軸受１２ｂの軸方向のガタツキを抑えることができ、さらにねじ部材２３の頭部２３ｂが弾性部材２０の抜け止めにもなる。なお、ねじ部材２３を複数用いて、軸受１２ｂを固定してもよい。
【符号の説明】
【００３８】
１  リール本体
３  スプール軸
４  スプール
５  ピニオンギア
６  ロータ
１２ｂ  軸受
１５  軸受収納部
１６  第１開口部
１７  第２開口部
１８  軸受支持部
２０  弾性部材
２１  固定板
２３  ねじ部材
２３ａ  ねじ部
２３ｂ  頭部
【図１】
2018117585.tif 000003
【図２】
2018117585.tif 000004
【図３】
2018117585.tif 000005